(57)【要約】【課題】  固定障子のガタつきを防止できる建具の提供。【解決手段】  枠１と障子２と障子ストッパー３とを備え、障子ストッパー３は、障子２を枠１内で動かないように固定するものであり、横枠５のレール６に設けた切欠き７，７に係合すると共に、内周側から挿入した抜け止め用の係止部材１１，５０と爪１２を有し、係止部材１１，５０を押し込むことで爪１２が係止部材１１，５０に押されてレール６に設けた孔１３に係止している。【選択図】      図４
2020090772.tif 000002
【特許請求の範囲】
【請求項１】
枠と障子と障子ストッパーとを備え、障子ストッパーは、障子を枠内で動かないように固定するものであり、横枠のレールに設けた切欠きに係合すると共に、内周側から挿入した抜け止め用の係止部材と爪を有し、係止部材を押し込むことで爪が係止部材に押されてレールに設けた孔に係止していることを特徴とする建具。
【請求項２】
枠と障子と障子ストッパーとを備え、障子ストッパーは、障子を枠内で動かないように固定するものであり、横枠のレールに設けた切欠きに係合すると共に、室内外方向に設けた抜け止め用の係止部材を有し、係止部材がレールに設けた孔に挿入してあることを特徴とする建具。
【発明の詳細な説明】
【技術分野】
【０００１】
本発明は、固定障子のガタつきを防止した建具に関する。
【背景技術】
【０００２】
従来より、引違い窓の外障子・内障子のうちの一方の障子を、枠内で動かないように固定して固定障子としたものがあった。従来のこうした固定障子にはガタつきがあり、ガタつきを防止することが求められた。
【発明の概要】
【発明が解決しようとする課題】
【０００３】
本発明は以上に述べた実情に鑑み、固定障子のガタつきを防止できる建具の提供を目的とする。
【課題を解決するための手段】
【０００４】
上記の課題を達成するために請求項１記載の発明による建具は、枠と障子と障子ストッパーとを備え、障子ストッパーは、障子を枠内で動かないように固定するものであり、横枠のレールに設けた切欠きに係合すると共に、内周側から挿入した抜け止め用の係止部材と爪を有し、係止部材を押し込むことで爪が係止部材に押されてレールに設けた孔に係止していることを特徴とする。
【０００５】
請求項２記載の発明による建具は、枠と障子と障子ストッパーとを備え、障子ストッパーは、障子を枠内で動かないように固定するものであり、横枠のレールに設けた切欠きに係合すると共に、室内外方向に設けた抜け止め用の係止部材を有し、係止部材がレールに設けた孔に挿入してあることを特徴とする。
【発明の効果】
【０００６】
請求項１記載の発明による建具は、障子が障子ストッパーにより枠内で動かないように固定してあり、障子ストッパーは、横枠のレールに設けた切欠きに係合すると共に、内周側から挿入した抜け止め用の係止部材と爪を有し、係止部材を押し込むことで爪が係止部材に押されてレールに設けた孔に係止していることで、固定障子のガタつきを防止できる。また、係止部材を抜き差しすることで障子ストッパーを容易に着脱できる。
【０００７】
請求項２記載の発明による建具は、障子が障子ストッパーにより枠内で動かないように固定してあり、障子ストッパーは、横枠のレールに設けた切欠きに係合すると共に、室内外方向に設けた抜け止め用の係止部材を有し、係止部材がレールに設けた孔に挿入してあることで、固定障子のガタつきを防止できる。また、係止部材を抜き差しすることで障子ストッパーを容易に着脱できる。
【図面の簡単な説明】
【０００８】
【図１】本発明の建具の一実施形態を示す横断面図である。
【図２】同建具の縦断面図である。
【図３】同建具の室外側正面図である。
【図４】（ａ）は上障子ストッパーの周辺を拡大して示す室外側正面図であり、（ｂ）は同底面図、（ｃ）は同側面図である。
【図５】（ａ）は図４のＡ−Ａ断面図であり、（ｂ）同じ位置での断面図であって、ねじを取付ける前の状態を示している。
【図６】上障子ストッパーをレールから分離した状態で示す室外側正面図である。
【図７】（ａ）は上障子ストッパーの平面図、（ｂ）は同正面図、（ｃ）は同底面図、（ｄ）は同側面図、（ｅ）はＢ−Ｂ断面図である。
【図８】（ａ）は下障子ストッパーの周辺を拡大して示す平面図であり、（ｂ）は同室外側正面図、（ｃ）は同側面図である。
【図９】（ａ）は図８のＣ−Ｃ断面図であり、（ｂ）同じ位置での断面図であって、ねじを取付ける前の状態を示している。
【図１０】図８のＤ−Ｄ断面図である。
【図１１】下障子ストッパーをレールから分離した状態で示す室外側正面図である。
【図１２】（ａ）は下障子ストッパーの平面図、（ｂ）は同室外側正面図、（ｃ）は同底面図、（ｄ）は同側面図である。
【図１３】（ａ）は上障子ストッパーの他の実施形態を示す縦断面図であり、（ｂ）はクサビを取付ける前の状態の同上障子ストッパーの縦断面図である。
【図１４】（ａ）は図１２の上障子ストッパーの平面図、（ｂ）は同室外側正面図、（ｃ）は同底面図、（ｄ）は同側面図、（ｅ）はＥ−Ｅ断面図である。
【図１５】（ａ）は図１３の上障子ストッパーに取付けられるクサビの平面図、（ｂ）は同室外側正面図、（ｃ）は同底面図、（ｄ）は同側面図、（ｅ）は同室内側正面図である。
【図１６】（ａ）は振れ止め部品の周辺を拡大して示す平面図であり、（ｂ）はＦ−Ｆ断面図である。
【図１７】（ａ）はクサビを取付けない状態における振れ止め部品の周辺の拡大平面図であり、（ｂ）はＧ−Ｇ断面図である。
【図１８】クサビを取付ける前と後で振れ止め部品の溝の幅が変化する様子を示す縦断面図である。
【図１９】振れ止め部品の取付状態を示す斜視図である。
【図２０】（ａ）はクサビの室外側から見た正面図、（ｂ）は同側面図、（ｃ）は同底面図である。
【発明を実施するための形態】
【０００９】
以下、本発明の実施の形態を図面に基づいて説明する。図１〜３は、本発明の建具の一実施形態を示している。本建具は、躯体開口部に取付けられる枠１と、枠内１に上下枠５，８に沿って摺動可能に納めた外障子２及び内障子２０とを備え、図１，３に示すように、上枠５のレール６に取付けた上障子ストッパー３と下枠８のレール（外レール）９に取付けた下障子ストッパー４とで外障子２を枠１内で動かないように固定して、内動片引き窓としたものである。
【００１０】
枠１は、図３に示すように、アルミ合金の押出形材よりなる上枠５と下枠８と左右の縦枠２１，２１を四周枠組みして構成してある。
上枠５は、図２に示すように、室外側端部に室外側壁２２を垂下して設けてあり、室外側壁２２の室内側に外障子２の上部を案内するレール６が垂下して設けてある。さらに上枠５は、室内外方向の中間に中間垂下片２３を有し、室内側端部に室内側壁２４が垂下して設けてあり、中間垂下片２３と室内側壁２４との間の溝２５に内障子２０の上部を案内している。中間垂下片２３と室内側壁２４の下部にはタイト材ホルダー２６が設けられ、タイト材ホルダー２６にタイト材２７が室外側に向けて取付けてあり、各タイト材２７が外障子２の室内側面と内障子２０の室内側面にそれぞれ当接している。
【００１１】
下枠８は、図２に示すように、室内側が高くなるように略階段状に形成され、外障子２の下部を案内する外レール９と、内障子２０の下部を案内する内レール２８と、室内側壁２９と、内レール２８の付け根部より室外側に突出する突出片３０を有している。突出片３０の先端部と室内側壁２９の上部にはタイト材ホルダー３１が設けられ、タイト材ホルダー３１にタイト材３２が室外側に向けて取付けてあり、各タイト材３２が外障子２の室内側面と内障子２０の室内側面にそれぞれ当接している。
【００１２】
外障子２と内障子２０は、図１，２に示すように、アルミ合金の押出形材よりなる上框３３と下框３４と戸先框３５と召合せ框１７とを四周框組みし、各框の内周側に開口して設けたガラス保持溝３６にシール材３７を介してガラス（複層ガラス）３８の外周縁部を嵌め込んで構成してある。
【００１３】
図１，３に示すように、上枠５のレール６には上障子ストッパー３が取付けてあり、下枠８の外レール９には下障子ストッパー４が取付けてあり、この上下の障子ストッパー３，４が外障子２の召合せ框１７の外周側面に当接することにより、外障子２が枠１内の室外側から見て右半分に位置して動かないように固定されている。
【００１４】
上枠５のレール６には、図６に示すように、上障子ストッパー３を取付けるために、レール６下端よりレール６の全高さの略中間位置まで達する切欠き７，７が左右方向に間隔をおいて２つ設けてあると共に、２つの切欠き７，７の中間の位置に角孔１３が設けてある。
【００１５】
上障子ストッパー３は、硬質樹脂でブロック状に形成され、図４，７に示すように、左右の側壁３９，３９にレール６の切欠き７，７と係合し合うように切欠き４０，４０が設けてあると共に、側壁３９，３９の内側にレール６の切欠き７，７と係合する係合部４１，４１が設けてあり、これにより上障子ストッパー３が左右方向に動かないようにレール６に取付けてある。
さらに上障子ストッパー３は、図７に示すように、底壁６３の室外側寄りの位置に雌ねじ孔４２が設けてあり、雌ねじ孔４２の室内側に隣接する位置に爪１２が上向きに突出して設けてある。爪１２は、初期状態では、図５（ｂ）と図７（ｅ）に示すように、根元から室外側に傾斜しており、上端部に室内側に向けて突出する係止部４３を有している。さらに上障子ストッパー３は、雌ねじ孔４２の爪１２と反対側（室外側）に隣接して、後述するねじ１１が当接する当接部４４が設けてある。
上障子ストッパー３は、枠１の内周側から上枠５のレール６の切欠き７，７に係合させて取付けた後、図５（ａ）に示すように、底壁６３の雌ねじ孔４２に枠１の内周側からねじ１１を螺入することで、爪１２がねじ１１に押されて根元から室内側に曲がり、爪１２の上端部に形成された係止部４３をレール６の角孔１３に係止させてある。これにより上障子ストッパー３は、レール６から抜けないように左右方向及び上下方向に動かないように固定されている。さらに上障子ストッパー３は、ねじ１１の爪１２と反対側にねじ１１が当接する当接部４４が設けてあることで、ねじ１１の傾きを規制して、ねじ１１で爪１２を確実に押すことができ、爪１２がレール６の角孔１３に係止した状態を維持できる。ねじ１１を取外すと、図５（ｂ）に示すように、爪１２の係止部４３がレール６の角孔１３から抜けるので、上障子ストッパー３を枠１内周側に向けて取外すことができる。
【００１６】
下枠８の外レール９には、図１１に示すように、下障子ストッパー４を取付けるために、レール９上端よりレール９の下端まで達する切欠き１０，１０が左右方向に間隔をおいて２つ設けてあると共に、２つの切欠き１０，１０の中間の位置に左右方向の長孔１５が設けてある。
【００１７】
下障子ストッパー４は、硬質樹脂でブロック状に形成され、図１０，１２に示すように、左右の側壁４５，４５の内側に下枠８の外レール９の切欠き１０，１０と係合する係合する係合部４６，４６が設けてあり、左右の側壁４５，４５を外レール９の切欠き１０，１０に挿入して下障子ストッパー４を枠１の内周側から取付けると、左右の側壁４５，４５の係合部４６，４６が外レール９の切欠き１０，１０と係合し、これにより下障子ストッパー４が左右方向に動かないように外レール９に取付けられる。
さらに下障子ストッパー４は、図８，９に示すように、外レール９の室外側に上壁４７より垂下して角柱状の垂下部４８が設けてあり、垂下部４８を室内外方向に貫通して雌ねじ孔４９が設けてある。
下障子ストッパー４は、枠１の内周側から下枠８の外レール９の切欠き１０，１０に係合させて取付けた後、図９（ｂ）に示すように、雌ねじ孔４９に室外側からねじ１４を螺入し、図９（ａ）に示すように、ねじ１４を外レール９の長孔１５に係止させることで、外レール９から抜けないように左右方向及び上下方向に動かないように固定されている。下障子ストッパー４は、ねじ１４の周囲に外レール９に当接する当接部６２を有しており、これによりねじ１４のぐらつきを規制して外レール９に強固に固定できる。ねじ１４を取外すと、ねじ１４が外レール９の長孔１５から抜けるので、下障子ストッパー４を枠１内周側に向けて取外すことができる。
【００１８】
図１３〜１５は、上障子ストッパー３の他の実施形態を示している。この上障子ストッパー３は、図１３に示すように、ねじ１１の代わりに樹脂製のクサビ５０を上障子ストッパー３の底壁６３に設けた孔５１に枠１の内周側から押し込むことで、クサビ５０により爪１２の背（室外側）を押して爪１２の係止部４３をレール６の角孔１３に係止させている。クサビ５０は、上障子ストッパー３にきっちりと嵌まり、マイナスドライバーなどでこじることで取外すことができる。
クサビ５０は、図１５に示すように、側面の上下二箇所にポッチ５２ａ，５２ｂが設けてある。クサビ５０を上障子ストッパー３に嵌め込むと、下側のポッチ５２ａが上障子ストッパー３の段部５３（図１４（ｅ）参照）に係止して、クサビ５０が固定される。上側のポッチ５２ｂは、クサビ５０を外したときに上障子ストッパー３の段部５３に係止することで、クサビ５０が抜け落ちるのを防止するためのものである。
下障子ストッパー４についても、ねじ１４の代わりにクサビを用いるものとすることができる。
【００１９】
外障子２の縦框（戸先框３５及び召合せ框１７）の上端部には、図２，１６に示すように、樹脂製の振れ止め部品１６が中空部５４に嵌め込んで取付けてある。振れ止め部品１６は、上枠５のレール６が挿入される溝１８を有する略Ｕ字型の部品であり、溝１８は図１６（ｂ）に示すように、上側で幅が狭く、中間より下側で幅を広くしてある。振れ止め部品１６の室外側面と室内側面には、矩形溝５５が上下方向に設けてある。また振れ止め部品１６は、図１９に示すように、縦框１７，３５に形成された孔６５に弾発的に係止する抜け止め用の突起６６を有している。
このように振れ止め部品１６に矩形溝５５が上下方向に設けてあることで、図１９に示すように、矩形溝５５より縦框１７，３５の中空部５４内に外気が導入されて中空部５４内が外気と等圧になり、縦框１７，３５のガラス保持溝３６の底壁にも通気孔５６が設けてあって、通気孔５６を通じてガラス保持溝３６内に外気が導入され、ガラス保持溝３６内が外気と等圧となっている。このように、ガラス保持溝３６内が外気と等圧になっていることで、ガラス保持溝３６内に雨水が入ってくるのを防ぐことができ、水密性が確保できる。
【００２０】
外障子２は、図１６に示すように、振れ止め部品１６の室内側の矩形溝５５と縦框１７，３５の室内側壁との間にクサビ１９を差し込むことで、振れ止め部品１６の溝１８の上部の幅が狭くなった部分の溝幅を一層狭めてある。クサビ１９は、図２０に示すように、矩形溝５５に挿入される挿入部５７と、矩形溝５５の小口を塞ぐ上壁５８とを有し、挿入部５７には室外側面に下方に向かうにつれて室内側に傾斜した傾斜面５９が設けてあるとともに、室内側面に上下方向にスリット６４が設けてある。
クサビ１９を取付けない状態では、図１７に示すように、振れ止め部品１６の溝１８は、レール６の厚みに対してクリアランス６０を持たせてあるが、図１６に示すように、振れ止め部品１６の室内側の矩形溝５５と縦框１７，３５の室内側壁との間にクサビ１９を差し込むことで、振れ止め部品１６の室内側壁がクサビ１９に押されて根元から室外側に曲がるように変形し、それに伴って溝１８上部の幅が狭くなった部分の溝幅が狭められ、レール６とのクリアランスがほとんどない状態になっており、これにより外障子２の室内外方向のガタつきを防止できる。また、このように室内側にクサビ１９を差し込んで溝１８を狭めると、図１８（ｂ）に示すように、外障子２が室内側に引き付けられ（図中の矢印６１参照）、外障子２にタイト材２７が強く当たるようになるので、水密性・気密性が向上する。
【００２１】
以上に述べたように本建具は、外障子２が上障子ストッパー３により枠１内で動かないように固定してあり、上障子ストッパー３は、上枠５のレール６に設けた切欠き７，７に係合すると共に、内周側から挿入した抜け止め用の係止部材（ねじ１１、クサビ５０）と爪１２を有し、係止部材１１，５０を押し込むことで爪１２が係止部材１１，５０に押されてレール６に設けた孔（角孔）１３に係止することで、固定障子（外障子）２のガタつきを防止できる。また、係止部材１１，５０を抜き差しすることで上障子ストッパー３を容易に着脱できる。
上障子ストッパー３は、係止部材１１，５０の爪１２と反対側に係止部材１１，５０が当接する当接部４４が設けてあることで、係止部材１１，５０の傾きを規制して、係止部材１１，５０で爪１２を確実に押すことができ、爪１２がレール６の孔１３に係止した状態を維持できる。
係止部材１１，５０を枠１の内周側から着脱できるため、レール６の室外側に室外側壁２２があっても、係止部材１１，５０の着脱が容易に行える。
【００２２】
また、本建具は、外障子２が下障子ストッパー４により枠１内で動かないように固定してあり、下障子ストッパー４は、下枠８のレール（外レール）９に設けた切欠き１０，１０に係合すると共に、室内外方向に設けた抜け止め用の係止部材（ねじ）１４を有し、係止部材１４がレール９に設けた孔（長孔）１５に挿入してあることで、固定障子（外障子）２のガタつきを防止できる。また、係止部材１４を抜き差しすることで下障子ストッパー４を容易に着脱できる。
下障子ストッパー４は、係止部材１４の周囲にレール９に当接する当接部６２を有していることで、係止部材１４のぐらつきを規制してレール９に強固に固定できる。
【００２３】
また、本建具は、外障子２の縦框１７，３５の長手方向端部に振れ止め部品１６を有し、振れ止め部品１６は、枠（上枠）５のレール６が挿入される溝１８を有し、振れ止め部品１６と縦框１７，３５の間にクサビ１９を差し込んで溝１８を狭めてあることで、固定障子である外障子２の室内外方向のガタつきを防止できる。また、クサビ１９の差し込み深さを調整することで、溝１８の幅を微調整することもできる。さらに、振れ止め部品１６は、外障子２が可動障子の場合の部品と兼用することができるので（可動障子とする場合はクサビ１９を取付けない）、コストを削減できる。
クサビ１９は、振れ止め部品１６の溝１８の室外側部又は室内側部と縦框１７，３５の間に差し込んであることで、障子２の室内外方向のガタつきを確実に防止することができる。クサビ１９を、溝１８の室内側部と縦框１７，３５の間に差し込むと、障子２の室内外方向のガタつきを防止できることに加え、障子２を室内側に引き寄せることができるので、水密性・気密性が向上する。
また、本建具は、振れ止め部品１６に形成された矩形溝５５と、縦框１７，３５のガラス保持溝３６の底壁に形成された通気孔５６により、障子２のガラス保持溝３６内に外気を導入し、ガラス保持溝３６内を外気と等圧にしたことで、ガラス保持溝３６内に雨水が入るのを防ぎ、水密性が確保できる。
【００２４】
本発明は以上に述べた実施形態に限定されない。障子ストッパーの形状や材質、枠のレールに設ける切欠きと孔の形状は、適宜変更することができる。障子ストッパーは、係止部材を内周側から取付けるタイプと、室内外方向から取付けるタイプの２種類を記載したが、上下とも同じタイプとすることもできる。実施形態は、外障子を固定障子としていたが、内障子を固定障子とすることもできる。
【符号の説明】
【００２５】
１  枠
２  外障子（障子）
３  上障子ストッパー（障子ストッパー）
４  下障子ストッパー（障子ストッパー）
５  上枠（横枠）
６  レール
７  切欠き
８  下枠（横枠）
９  外レール（レール）
１０  切欠き
１１  ねじ（係止部材）
１２  爪
１３  角孔（孔）
１４  ねじ（係止部材）
１５  長孔（孔）
１６  振れ止め部品
１７  召合せ框（縦框）
１８  溝
１９  クサビ
５０  クサビ（係止部材）
【図１】
2020090772.tif 000003
【図２】
2020090772.tif 000004
【図３】
2020090772.tif 000005
【図４】
2020090772.tif 000006
【図５】
2020090772.tif 000007
【図６】
2020090772.tif 000008
【図７】
2020090772.tif 000009
【図８】
2020090772.tif 000010
【図９】
2020090772.tif 000011
【図１０】
2020090772.tif 000012
【図１１】
2020090772.tif 000013
【図１２】
2020090772.tif 000014
【図１３】
2020090772.tif 000015
【図１４】
2020090772.tif 000016
【図１５】
2020090772.tif 000017
【図１６】
2020090772.tif 000018
【図１７】
2020090772.tif 000019
【図１８】
2020090772.tif 000020
【図１９】
2020090772.tif 000021
【図２０】
2020090772.tif 000022